(57)【要約】【課題】  トラックで運搬できる簡易型倉庫等に用いられて任意の角度に調整可能で且つその角度位置に固定可能なジャッキベースに於て、構造を簡単化してコストの低減を図る。【解決手段】  起立板８を備えたジャッキプレート２と、これの上方に配されて筒状の脚体１０に挿通されるジャッキネジ３と、これに螺合されて脚体１０を高さ調整する為のジャッキナット４と、ジャッキネジ３の下部に設けられた垂下板５と、ジャッキプレート２の起立板８と垂下板５との間に設けられてジャッキネジ３に対してジャッキプレート２を俯仰可能に枢結する枢結手段６と、ジャッキプレート２の起立板８と垂下板５との間に設けられてジャッキネジ３に対してジャッキプレート２を所定の角度位置に固定する為の固定手段７とで構成し、とりわけジャッキネジ３に垂下板５を設けると共に、この垂下板５とジャッキプレート２の起立板８との間に枢結手段６と固定手段７とを設ける。【選択図】        図１
2007091456.tif 000002
【特許請求の範囲】
【請求項１】
起立板を備えたジャッキプレートと、ジャッキプレートの上方に配されて筒状の脚体に挿通されるジャッキネジと、ジャッキネジに螺合されて脚体を高さ調整する為のジャッキナットと、ジャッキネジの下部に設けられた垂下板と、ジャッキプレートの起立板と垂下板との間に設けられてジャッキネジに対してジャッキプレートを俯仰可能に枢結する枢結手段と、ジャッキプレートの起立板と垂下板との間に設けられてジャッキネジに対してジャッキプレートを所定の角度位置に固定する為の固定手段と、から構成した事を特徴とするジャッキベース。
【請求項２】
垂下板は、ジャッキネジの中心線を対称軸として略対称形状に為されていると共に、枢結手段と固定手段は、ジャッキネジの中心線を対称軸として略対称位置に配されている請求項１に記載のジャッキベース。
【請求項３】
脚体は、ジャッキネジが貫通される長さにされて被取付物に着脱可能に取付けられる取付板を備えていると共に、ジャッキナットは、ジャッキネジに螺合されて脚体を挾持する上下のものを備えている請求項１に記載のジャッキベース。
【請求項４】
固定手段は、ジャッキプレートの起立板に穿設された通孔と、垂下板に穿設された縦長の長孔と、通孔と長孔に挿通されて締結される締結具とを備えている請求項１に記載のジャッキベース。
【発明の詳細な説明】
【技術分野】
【０００１】
本発明は、例えばトラックで運搬できる簡易型倉庫等に用いられて任意の角度に調整可能で且つその角度位置に固定可能なジャッキベースの改良に関する。
【背景技術】
【０００２】
従来、この種のジャッキベースとしては、例えば特許文献１に記載されたものが知られている。
【０００３】
【特許文献１】特開平１１−５０６７６号公報
【発明の開示】
【発明が解決しようとする課題】
【０００４】
ところが、この様なものは、任意の角度に調整できて且つその角度位置に固定できるものの、ジャッキネジの先部には水平軸を形成すると共に、これより離れた位置には長穴付受金具を形成せねばならなかったので、構造が複雑化してコストが高く付く難点があった。
【０００５】
本発明は、叙上の問題点に鑑み、これを解消する為に創案されたもので、その課題とする処は、構造を簡単化してコストの低減を図る様にしたジャッキベースを提供するにある。
【課題を解決するための手段】
【０００６】
本発明のジャッキベースは、基本的には、起立板を備えたジャッキプレートと、ジャッキプレートの上方に配されて筒状の脚体に挿通されるジャッキネジと、ジャッキネジに螺合されて脚体を高さ調整する為のジャッキナットと、ジャッキネジの下部に設けられた垂下板と、ジャッキプレートの起立板と垂下板との間に設けられてジャッキネジに対してジャッキプレートを俯仰可能に枢結する枢結手段と、ジャッキプレートの起立板と垂下板との間に設けられてジャッキネジに対してジャッキプレートを所定の角度位置に固定する為の固定手段と、から構成した事に特徴が存する。
【０００７】
枢結手段に依りジャッキネジに対してジャッキプレートを所定の角度だけ俯仰させると共に、固定手段に依り固定すると、ジャッキネジに対してジャッキプレートがその角度位置に固定される。
従って、簡易型倉庫等の被取付物を設置する設置面の傾斜角度に呼応させてジャッキプレートを傾動させる事ができ、これに依って被取付物の転倒等を防止する事ができる。
枢結手段と固定手段は、何れもがジャッキプレートの起立板と垂下板との間に設けられるので、構造が簡単化されて製作が容易になり、コストの低減を図る事ができる。
【０００８】
垂下板は、ジャッキネジの中心線を対称軸として略対称形状に為されていると共に、枢結手段と固定手段は、ジャッキネジの中心線を対称軸として略対称位置に配されているのが好ましい。この様にすれば、ジャッキネジに対してジャッキプレートを旋回させても、垂下板と枢結手段と固定手段が他物に接触する惧れがなく、ジャッキプレートを容易に旋回する事ができる。
【０００９】
脚体は、ジャッキネジが貫通される長さにされて被取付物に着脱可能に取付けられる取付板を備えていると共に、ジャッキナットは、ジャッキネジに螺合されて脚体を挾持する上下のものを備えているのが好ましい。この様にすれば、被取付物に容易に適用する事ができると共に、高さ調整も簡単に行える。
【００１０】
固定手段は、ジャッキプレートの起立板に穿設された通孔と、垂下板に穿設された縦長の長孔と、通孔と長孔に挿通されて締結される締結具とを備えているのが好ましい。この様にすれば、構造が極めて簡単でコストも余り掛からない。
【発明の効果】
【００１１】
本発明に依れば、次の様な優れた効果を奏する事ができる。
（１）  ジャッキプレート、ジャッキネジ、垂下板、ジャッキナット、枢結手段、固定手段とで構成し、とりわけジャッキネジに垂下板を設けると共に、この垂下板とジャッキプレートの起立板との間に枢結手段と固定手段とを設けたので、構造が簡単化されてコストの低減を図る事ができる。
【発明を実施するための最良の形態】
【００１２】
以下、本発明の実施の形態を、図面に基づいて説明する。
図１は、本発明のジャッキベースを示す正面図。図２は、図１の平面図。図３は、図１の側面図。図４は、分解斜視図。図５は、本発明のジャッキベースを被取付物に適用した場合を示す側面図である。
【００１３】
ジャッキベース１は、ジャッキプレート２、ジャッキネジ３、ジャッキナット４、垂下板５、枢結手段６、固定手段７とからその主要部が構成されている。
【００１４】
ジャッキプレート２は、起立板８を備えたもので、この例では、矩形板状を呈し、基側には、起立板８が立設されていると共に、先側には、二つの挿通穴９が穿設されている。挿通穴９には、図略しているが、設置面Ｇにジャッキプレート２を固定する為の杭（アンカ）が挿通される。
【００１５】
ジャッキネジ３は、ジャッキプレート２の上方に配されて筒状の脚体１０に挿通されるもので、この例では、丸棒状を呈し、外周には角ネジが螺設されている。
【００１６】
脚体１０は、この例では、角筒状を呈し、内部には、ジャッキネジ３が貫通されると共に、外部には、簡易型倉庫等の被取付物Ａに着脱可能に取付けられる取付板１１が付設されている。取付板１１には、上下の取付穴１２が穿設されている。
被取付物Ａとしては、例えば特開２００４−２７７１５号に記載された伸縮式倉庫が知られて居り、これの四隅には、ブラケットＢが付設されている。ブラケットＢには、取付板１１の取付穴１２に対応する貫通穴Ｃが穿設されて居り、取付板１１とブラケットＢは、取付穴１２と貫通穴Ｃに挿通されて締結されるボルト・ナット等の締結具（図示せず）に依り着脱可能に取付けられる。
【００１７】
ジャッキナット４は、ジャッキネジ３に螺合されて脚体１０を高さ調整する為のもので、この例では、ジャッキネジ３に螺合されて脚体１０を挾持する上下二つのものから成って居り、六角ナットにしてある。
【００１８】
垂下板５は、ジャッキネジ３の下部に設けられたもので、この例では、ジャッキネジ３の下部に削設された割溝１３にその上部が挿入されて溶接されて居り、ジャッキネジ３の中心線Ｏを対称軸として略対称形状に為されている。
【００１９】
枢結手段６は、ジャッキプレート２の起立板８と垂下板５との間に設けられてジャッキネジ３に対してジャッキプレート２を俯仰可能に枢結するもので、この例では、ジャッキプレート２の起立板８に穿設された貫孔１４と、垂下板５に穿設された透孔１５と、これらに挿通されて締結されるボルト・ナット等の締結具１６とを備えている。
【００２０】
固定手段７は、ジャッキプレート２の起立板８と垂下板５との間に設けられてジャッキネジ３に対してジャッキプレート２を所定の角度位置に固定する為のもので、この例では、ジャッキプレート２の起立板８に穿設された通孔１７と、垂下板５に穿設された縦長の長孔１８と、通孔１７と長孔１８に挿通されて締結されるボルト・ナット等の締結具１９とを備えている。
【００２１】
枢結手段６と固定手段７は、ジャッキネジ３の中心線Ｏを対称軸として左右略対称位置に配されている。
【００２２】
次に、この様な構成に基づいてその作用を述解する。
図１の実線は、ジャッキベース１のジャッキネジ３が垂直でジャッキプレート２が水平な状態を示している。この様な状態から、枢結手段６を中心として、ジャッキネジ３に対してジャッキプレート２を所定の角度だけ水平軸廻りに俯仰させて固定手段７に依り固定すると、図１の鎖線で示す如く、ジャッキネジ３に対してジャッキプレート２がその角度位置に傾斜される。
図５は、被取付物Ａである簡易型倉庫にジャッキベース１を取付けた状態を示している。ジャッキベース１は、被取付物Ａの四隅に設けられたブラケットＢに脚体１０の取付板１１を締結具で締結する事に依り取付けられる。この時、ジャッキプレート２は、その先端が被取付物Ａの短尺な奥行方向の夫々外側に向けられている。そして、設置面Ｇの傾斜角度に応じて被取付物Ａが水平になる様に、固定手段７に依りジャッキネジ３に対してジャッキプレート２が所定角度だけ俯仰されて固定されると共に、ジャッキナット４に依り脚体１０に対してジャッキネジ３が高さ調整されて固定される。必要に応じて、ジャッキプレート２の挿通穴９には、設置面Ｇに打ち込まれる杭が挿通され、これに依りジャッキベース１が設置面Ｇに据付固定される。
【００２３】
被取付物Ａを設置する設置面Ｇの傾斜角度に呼応して、ジャッキプレート２を傾動させる事ができるので、被取付物Ａの転倒等を防止する事ができる。
枢結手段６と固定手段７は、何れもがジャッキプレート２の起立板８と垂下板５との間に設けられているので、構造が簡単化されて製作が容易になり、コストの低減を図る事ができる。
【００２４】
垂下板５は、ジャッキネジ３の中心線Ｏを対称軸として略対称形状に為されていると共に、枢結手段６と固定手段７は、ジャッキネジ３の中心線Ｏを対称軸として略対称位置に配されているので、ジャッキネジ３に対してジャッキプレート２を旋回させても、垂下板５と枢結手段６と固定手段７が被取付物Ａを含む他物に接触する惧れがなく、ジャッキプレート２を容易に旋回する事ができる。
【００２５】
脚体１０は、ジャッキネジ３が貫通される長さにされて被取付物Ａに着脱可能に取付ける取付板１１を備えていると共に、ジャッキナット４は、ジャッキネジ３に螺合されて脚体１０を挾持する上下のものを備えているので、被取付物Ａに容易に適用する事ができると共に、高さ調整も簡単に行える。
【００２６】
固定手段７は、ジャッキプレート２の起立板８に穿設された通孔１７と、垂下板５に穿設された縦長の長孔１８と、通孔１７と長孔１８に挿通されて締結される締結具１９とを備えているので、構造が極めて簡単でコストも余り掛からない。
【００２７】
尚、ジャッキナット４は、先の例では、六角ナットであったが、これに限らず、例えばハンドル付ナットでも良い。
ジャッキナット４は、先の例では、二つであったが、これに限らず、例えば単一や三つ以上でも良い。
垂下板５は、先の例では、ジャッキネジ３とは別体のものを溶接したが、これに限らず、例えばジャッキネジ３の端部をプレス加工に依り扁平させて形成しても良い。
枢結手段６は、先の例では、ボルト・ナット等の分解可能な締結具１６を用いたが、これに限らず、例えばリベット等の分解不能なものを用いても良い。
固定手段７は、先の例では、ジャッキプレート２の起立板８に円形の通孔１７を設けると共に、垂下板５に縦長な長孔１８を設けたが、これに限らず、例えばこれらを逆に設けても良い。
固定手段７は、先の例では、ジャッキプレート２の起立板８と垂下板５との接触面が平滑であったが、これに限らず、例えば滑り止め凹凸等を形成しても良い。この様にすれば、廻止めされて確実に固定する事ができる。
脚体１０は、先の例では、簡易型倉庫等に取付けられるものであったが、これに限らず、例えば足場用支柱等でも良い。
【図面の簡単な説明】
【００２８】
【図１】本発明のジャッキベースを示す正面図。
【図２】図１の平面図。
【図３】図１の側面図。
【図４】分解斜視図。
【図５】本発明のジャッキベースを被取付物に適用した場合を示す側面図。
【符号の説明】
【００２９】
１…ジャッキベース、２…ジャッキプレート、３…ジャッキネジ、４…ジャッキナット、５…垂下板、６…枢結手段、７…固定手段、８…起立板、９…挿通穴、１０…脚体、１１…取付板、１２…取付穴、１３…割溝、１４…貫孔、１５…透孔、１６…締結具、１７…通孔、１８…長孔、１９…締結具、Ａ…被取付物、Ｂ…ブラケット、Ｃ…貫通穴、Ｇ…設置面、Ｏ…中心線。
【図１】
2007091456.tif 000003
【図２】
2007091456.tif 000004
【図３】
2007091456.tif 000005
【図４】
2007091456.tif 000006
【図５】
2007091456.tif 000007